【手続補正書】
【提出日】平成17年12月28日(2005.12.28)
【手続補正１】
【補正対象書類名】特許請求の範囲
【補正対象項目名】全文
【補正方法】変更
【補正の内容】
【特許請求の範囲】
【請求項１】
光源と、少なくとも１つのサンプル容器と、検出器とを具備する光学アセンブリで、少なくとも１つの容器が光源と検出器の間に作られる一又は複数の光路に、光が容器を透過できるように配置されて、光源が実質的に平行光のビームを提供するのに適しており、検出器が複数の検出器部位を具備し、容器が、空間的に分離した少なくとも２つの透過光路、容器の壁のみを出入りする第1壁パスと第1壁パスとは空間的に分離して容器の壁および追加的に容器のコアに出入りする第2コアパスを画成するために、検出用のサンプルを収容するのに適した相対的な形状および寸法の壁とコアを具備し、空間的に分離した壁パスとコアパスが検出器の個々の検出器部位に連結されることを特徴とする光学アセンブリ。
【請求項２】
アセンブリが中央のコアパスと、２つの周辺の壁パスの両側又は環形の壁パスの周囲を画成することを特徴とする請求項１に記載の光学アセンブリ。
【請求項３】
コアビームと壁ビームの比率として直接参照し易いように、コアパスビームと壁パスビームがアレイ検出器上で空間的に近くにあり、好ましくは隣接していることを特徴とする請求項１および２のいずれかに記載の光学アセンブリ。
【請求項４】
光源が、吸光度を検出する一又は複数の吸収種が吸収する光の少なくとも１つの波長を具備することを特徴とする請求項１から３のいずれかに記載の光学アセンブリ。
【請求項５】
光がＵＶ、紫外・可視光から近赤外線（ＮＩＲ）までに対応する１６０から１２００ｎｍの範囲、好ましくは１８０又は１９０から１２００ｎｍの波長をもつことを特徴とする請求項１から４のいずれかに記載の光学アセンブリ。
【請求項６】
本発明のアセンブリの少なくとも１つのサンプル容器が、動的にサンプルを検出するために、両端を開放型にし、上下を開放型にできるセル又はコンジットを具備することを特徴とする請求項１から５のいずれかに記載の光学アセンブリ。
【請求項７】
サンプル容器が１アレイに１つのセル又は複数のセルのうちの１つであり、あるいはマイクロキャピラリーアレイ又はマイクロチャンネルアレイに１つのキャピラリー又は複数のキャピラリーのうちの１つであることを特徴とする請求項１から４のいずれかに記載の光学アセンブリ。
【請求項８】
内径（容器）の範囲が３ミクロンから２０ｍｍ、外径（容器）の範囲が４ミクロンから３０ｍｍ、屈折率（容器）の範囲が１．３以上、１．６未満、屈折率（サンプル）の範囲が１．３から１．５超、ｄ（外壁と検出器の距離）／外径比が０．５から１０で、ｄの範囲が２０ミクロンから３００ｍｍであることを特徴とする請求項１から７のいずれかに記載の光学アセンブリ。
【請求項９】
アレイ検出器が固体センシングデバイス、好ましくはＣＣＤ、ＣＩＤ、又はＣＭＯＳ  ＡＰＳを具備することを特徴とする請求項１から８のいずれかに記載の光学アセンブリ。
【請求項１０】
アレイ検出器が、入射光を吸収して異なる波長で再び放射して、ＵＶを可視光に変換するとともに、ＣＣＤ、ＣＩＤ又はＣＭＯＳ ＡＰＳによる検出を可能にするコーティングを施された表面スタッドを内蔵するＣＣＤ、ＣＩＤ又はＣＭＯＳ ＡＰＳを具備し、さらにコーティングをスタッドに直接塗布するか、又はスタッドと容器の間に挟むカバースリップに直接塗布して、スタッドを交換しなくてもカバースリップを交換するだけで、必要なら再コーティングをしやすくすることを特徴とする請求項１から９のいずれかに記載の光学アセンブリ。
【請求項１１】
最適なピーク検出とパラメータ表示／特徴表示のためのリアルタイム信号処理手段と、装置およびシステムの閉ループフィードバック制御を含む自動システム管理手段とを具備することを特徴とする請求項１から１０のいずれかに記載の光学アセンブリ。
【請求項１２】
閉ループフィードバック制御手段が、検出手段の初期観察後の流れを停止又は減速して、サンプルを検出器ウィンドウ内にとどまらせて、データ取得又は信号対雑音の改善のための時間を長くし、あるいは断片収集を可能にし、あるいは断片を分析手段に差し向けることを特徴とする請求項１１に記載の光学アセンブリ。
【請求項１３】
当業界で周知のカラム又はキャピラリー分離デバイスとともに使用するためのモジュールであって、容器が、カラム又はキャピラリー分離デバイスのアウトレットに又はその長さに沿って挿入するために一端にインターフェース手段を具備するキャピラリー又はカラムであり、他端に分析手段のインレットへの挿入を可能にするインターフェース手段を任意で具備するキャピラリー又はカラムであるモジュールであるか、またはキャピラリー又はカラム分離デバイスのある区画付近に位置付けるための手段を具備し、それが前述の適切な内径、外径および屈折率をもち、本発明の方法の操作をし易くするために表面コーティングを剥がして、それによって剥がしたキャピラリー又はカラムがアセンブリのサンプル容器を提供するクリップオンデバイスであることを特徴とする請求項１から１２のいずれかに記載の光学アセンブリ。
【請求項１４】
製薬、バイオメディカル、バイオサイエンス、農芸化学、獣医学、素材の分野で、容器に入れたサンプルの検出、分析、特徴分析、および定量化をするために、また任意でそれを分離した成分をさらに収集するために使用する請求項１から１３のいずれかで前記説明した光学アセンブリ。
【請求項１５】
化学反応や合成、および分析のため、もしくはサンプルの分離や移動のための装置で、その装置が前記請求項１から１４のいずれかの光学アセンブリを具備し、化学反応容器自体が円筒形で、反応を時間の関数としてバッチフローモードでモニタリングし、反応を停止するためにフィードバック制御を使用し、あるいは反応容器が筒形で連続フローモードで使用することを特徴とする装置。
【請求項１６】
請求項１から１４のいずれかで前記説明した光学アセンブリの少なくとも１つのサンプル容器のコア内に入れる少なくとも１つのサンプルを透過する光を検出するための方法が、一又は複数の実質的にコリメート光源で容器を照射するための工程と、透過光を検出器で検出するための工程とからなり、透過光を少なくとも２つの光路、容器の壁のみを通過する壁パスと、壁パスとは空間的に分離して、壁とコアを通過するコアパスに空間的に分離し、さらに空間的に分離した光ビームをアレイ検出器の個々の検出部位に連結することを特徴とする方法。
【請求項１７】
サンプルが、検体としての種を生成又は消費する化学反応の過程で、検出したい一又は複数の検体を含むことを特徴とする請求項１６に記載の方法。
【請求項１８】
さらに、分析用のサンプルを選択するための工程と、所望のサンプル成分による吸収が最も強い個々の波長を決定するための工程と、サンプルを入れて照射したときに、前記空間的に分離したビームを出す適切なサンプル容器を選択するためにサンプルの屈折率を点検するための工程、又は光学素子とフィルタの適切な組み合わせと、アレイ分離を検出する適切な容器を選択して、検出器アレイの独立した部位に空間的に分離したビームを連結するための工程とからなる請求項１６から１７のいずれかに記載の方法。
【請求項１９】
サンプルを注入、ループ注入、ピペット、流体静力又は界面動電注入により少なくとも1つのサンプル容器に導入して、廃棄するため、又は保存用の別の容器や下流の識別手段に移し替えるために、注入、エレクトロスプレー、又はその他のインターフェースにより容器から取り出すことを特徴とする請求項１６から１８のいずれかに記載の方法。
【請求項２０】
検出手段で検出した光を露光リファレンスによって参照するための工程からなり、光源のゆらぎによる過剰な雑音もしくはフリッカ雑音をなくして、コアビームの強度と壁ビームの強度の比率が各部位でサンプルの強度の値となることを特徴とする請求項１６から１９のいずれかに記載の方法。